(57)【要約】【課題】ユーザが交換機にアクセスして転送先の電話番号などの設定を行なわなくても、発信者からの着信の転送を可能としたＩＰ電話端末を提供すること。【解決手段】記憶部２６は、予め設定された転送先情報を格納する。呼検出回路２０によって発信者の電話機からのＰＳＴＮ着信が検出された場合に、制御部２９は記憶部２６に記憶された転送先情報に基づいて、転送先のＩＰ電話機への発呼を行なう。そして、制御部２９は、転送先のＩＰ電話機からの応答に応じて、スイッチＡ２２および２３をＰＳＴＮ側へ切替え、発信者の電話機と転送先のＩＰ電話機との転送接続を行なう。したがって、ユーザが交換機にアクセスして転送先の電話番号などの設定を行なう必要がなくなり、ユーザの利便性を向上させることが可能となる。【選択図】        図３
2005045382.tif 000002
【特許請求の範囲】
【請求項１】
予め設定された転送先情報を格納するための格納手段と、
発信者の電話機からの着信があった場合に、前記格納手段によって格納された転送先情報に基づいて転送先のＩＰ電話機への発呼を行ない、該転送先のＩＰ電話機からの応答に応じて前記発信者の電話機と前記転送先のＩＰ電話機との転送接続を行なうための転送手段とを含むＩＰ電話端末。
【請求項２】
前記転送手段は、発信者の電話機からのＰＳＴＮ着信があった場合に、前記発信者の電話機と前記転送先のＩＰ電話機との転送接続を行なう、請求項１記載のＩＰ電話端末。
【請求項３】
前記転送手段は、発信者の電話機からのＩＰ電話着信があった場合に、前記発信者の電話機と前記転送先のＩＰ電話機との転送接続を行なう、請求項１記載のＩＰ電話端末。
【請求項４】
前記転送手段は、前記発信者の電話機からの着信があった場合に、直ちに前記格納手段によって格納された転送先情報に基づいて前記転送先のＩＰ電話機への発呼を行なう、請求項２または３記載のＩＰ電話端末。
【請求項５】
前記転送手段は、前記発信者の電話機からの着信があり、当該ＩＰ電話端末に接続される電話機によるオフフックが所定時間なかった場合に、前記格納手段によって格納された転送先情報に基づいて前記転送先のＩＰ電話機への発呼を行なう、請求項２または３記載のＩＰ電話端末。
【請求項６】
前記転送手段は、前記格納手段によって格納された転送先情報に基づいて、複数の転送先のＩＰ電話機へ順次発呼を行なう、請求項４または５記載のＩＰ電話端末。
【請求項７】
前記転送手段は、前記格納手段によって格納された転送先情報に基づいて、複数の転送先のＩＰ電話機へ同時に発呼を行なう、請求項４または５記載のＩＰ電話端末。
【請求項８】
発信者の電話機からの着信があった場合に、予め設定された転送先情報に基づいて転送先のＩＰ電話機への発呼を行なうステップと、
前記転送先のＩＰ電話機からの応答に応じて前記発信者の電話機と前記転送先のＩＰ電話機との転送接続を行なうステップとを含むＩＰ電話端末の電話転送方法。
【発明の詳細な説明】
【０００１】
【発明の属する技術分野】
本発明は、公衆交換電話網（ＰＳＴＮ）接続機能とＩＰ（Ｉｎｔｅｒｎｅｔ  Ｐｒｏｔｏｃｏｌ）電話機能とを有するＩＰ電話端末に関し、特に、着信があった場合に予め指定した電話番号に自動的に転送する機能（ボイスワープ機能）を有するＩＰ電話端末およびその方法に関する。
【０００２】
【従来の技術】
近年、ブロードバンド回線などによるインターネット利用が広く普及し、インターネットプロトコルを利用したＩＰ電話が盛んに開発されるようになってきている。一般に、ＣＡＴＶ（ＣＡｂｌｅ  ＴｅｌｅＶｉｓｉｏｎ）、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＦＴＴＨ（Ｆｉｂｅｒ  Ｔｏ  Ｔｈｅ  Ｈｏｍｅ）等を利用して電話機をＩＰ電話網に接続するＩＰ電話端末は、ＰＳＴＮ接続機能を有していることが多い。
【０００３】
また、契約によって、利用者はボイスワープ機能を利用することができる。このボイスワープ機能は、ＰＳＴＮ着信があった場合に予め指定した電話番号に自動的に転送するものである。これに関する技術として、特開２００１−３３３１４７号公報に開示された発明がある。
【０００４】
特開２００１−３３３１４７号公報に開示された応答後の複数転送先選択方法においては、複数の氏名等および登録番号の組を複数組含むメッセージの録音と、登録番号および転送先電話番号の組の複数組とを登録しておくことにより、任意の外線電話機からの呼出し信号を受信したボイスワープ契約電話回線の直流ループ閉成とメッセージの送出とを行わせると共に、外線電話機から送出される何れかの登録番号を示すＰＢ（Ｐｕｓｈ  Ｂｕｔｔｏｎ）信号またはＤＰ（Ｄｉａｌ  Ｐｕｌｓｅ）音信号を受信する。
【０００５】
そして、ＰＢ信号またはＤＰ音信号の受信により契約電話回線を瞬断してボイスワープサービスを起動させると共に、登録番号に該当する転送先電話番号を送出させ、転送先が受話器をオフフックしたことを示す信号を検出することによって、契約電話回線の直流ループの閉成を解除して転送を完了する。
【０００６】
【特許文献１】
特開２００１−３３３１４７号公報
【０００７】
【発明が解決しようとする課題】
ＰＳＴＮ接続機能とＩＰ電話機能とを有するＩＰ電話端末において、ＰＳＴＮ着信があった場合に、電話機への呼出しが行なわれる。しかし、ユーザが不在等で呼出しに応答しない場合には、通話には至らない。また、ユーザは外出先等の電話番号を交換機に設定し、上述したボイスワープ等のサービスを用いて外出先等でその呼出しに応答することも可能である。しかし、ユーザが交換機にアクセスして電話番号の設定等を行なわなければならず、その操作が煩わしいといった問題点があった。
【０００８】
また、ボイスワープ等のサービスは有料である。また、転送先の電話番号を１箇所だけしか登録できないため、外出先等が複数ある場合にはボイスワープ等のサービスを利用できない場合があるといった問題点があった。
【０００９】
さらには、特開２００１−３３３１４７号公報に開示された応答後の複数転送先選択方法を用いた場合であっても、複数の転送先に呼出しを行なうことができないため、外出先等が複数ある場合には呼出しの転送を受けることができない場合があるといった問題点があった。
【００１０】
本発明は、上記問題点を解決するためになされたものであり、第１の目的は、ユーザが交換機にアクセスして転送先の電話番号などの設定を行なわなくても、発信者からの着信の転送を可能としたＩＰ電話端末および電話転送方法を提供することである。
【００１１】
第２の目的は、複数の転送先に着信の転送を行なうことが可能なＩＰ電話端末を提供することである。
【００１２】
第３の目的は、着信の転送を安価に実現することが可能なＩＰ電話端末を提供することである。
【００１３】
【課題を解決するための手段】
請求項１に記載のＩＰ電話端末は、予め設定された転送先情報を格納するための格納手段と、発信者の電話機からの着信があった場合に、格納手段によって格納された転送先情報に基づいて転送先のＩＰ電話機への発呼を行ない、転送先のＩＰ電話機からの応答に応じて発信者の電話機と転送先のＩＰ電話機との転送接続を行なうための転送手段とを含む。
【００１４】
転送手段が予め設定された転送先情報に基づいて転送先のＩＰ電話機への発呼を行ない、転送先のＩＰ電話機からの応答に応じて発信者の電話機と転送先のＩＰ電話機との転送接続を行なうので、ユーザが交換機にアクセスして転送先の電話番号などの設定を行なう必要がなくなり、ユーザの利便性を向上させることが可能となる。
【００１５】
請求項２に記載のＩＰ電話端末は、請求項１記載のＩＰ電話端末であって、転送手段は、発信者の電話機からのＰＳＴＮ着信があった場合に、発信者の電話機と転送先のＩＰ電話機との転送接続を行なう。
【００１６】
したがって、ＰＳＴＮ着信を予め設定されたＩＰ電話機に転送することが可能となる。
【００１７】
請求項３に記載のＩＰ電話端末は、請求項１記載のＩＰ電話端末であって、転送手段は、発信者の電話機からのＩＰ電話着信があった場合に、発信者の電話機と転送先のＩＰ電話機との転送接続を行なう。
【００１８】
したがって、ＩＰ電話着信を予め設定されたＩＰ電話機に転送することが可能となる。
【００１９】
請求項４に記載のＩＰ電話端末は、請求項２または３記載のＩＰ電話端末であって、転送手段は発信者の電話機からの着信があった場合に、直ちに格納手段によって格納された転送先情報に基づいて転送先のＩＰ電話機への発呼を行なう。
【００２０】
したがって、転送時間を短縮することができ、発信者が応答を待つ時間を短くすることが可能となる。
【００２１】
請求項５に記載のＩＰ電話端末は、請求項２または３記載のＩＰ電話端末であって、転送手段は、発信者の電話機からの着信があり、当該ＩＰ電話端末に接続される電話機によるオフフックが所定時間なかった場合に、格納手段によって格納された転送先情報に基づいて転送先のＩＰ電話機への発呼を行なう。
【００２２】
したがって、ユーザがＩＰ電話端末が設置されている場所にいる場合であっても、発信者からの着信に応答することが可能となる。
【００２３】
請求項６に記載のＩＰ電話端末は、請求項４または５記載のＩＰ電話端末であって、転送手段は、格納手段によって格納された転送先情報に基づいて、複数の転送先のＩＰ電話機へ順次発呼を行なう。
【００２４】
したがって、ユーザの外出先が複数ある場合であっても、着信の転送を受けることが可能となる。
【００２５】
請求項７に記載のＩＰ電話端末は、請求項４または５記載のＩＰ電話端末であって、転送手段は、格納手段によって格納された転送先情報に基づいて、複数の転送先のＩＰ電話機へ同時に発呼を行なう。
【００２６】
したがって、ユーザの外出先が複数ある場合であっても、着信の転送を受けることが可能となる。
【００２７】
請求項８に記載のＩＰ電話端末の電話転送方法は、発信者の電話機からの着信があった場合に、予め設定された転送先情報に基づいて転送先のＩＰ電話機への発呼を行なうステップと、転送先のＩＰ電話機からの応答に応じて発信者の電話機と転送先のＩＰ電話機との転送接続を行なうステップとを含む。
【００２８】
予め設定された転送先情報に基づいて転送先のＩＰ電話機への発呼を行ない、転送先のＩＰ電話機からの応答に応じて発信者の電話機と転送先のＩＰ電話機との転送接続を行なうので、ユーザが交換機にアクセスして転送先の電話番号などの設定を行なう必要がなくなり、ユーザの利便性を向上させることが可能となる。
【００２９】
【発明の実施の形態】
図１は、本発明の実施の形態におけるＩＰ電話端末の接続例を示す図である。ＩＰ電話端末１は、ＴＥＬインタフェース（以下、ＴＥＬ  ＩＦと略す。）１１および１２を介して電話機２および３に接続され、１０ＢａｓｅＴインタフェース（以下、ＬＡＮ（Ｌｏｃａｌ  Ａｒｅａ  Ｎｅｔｗｏｒｋ）ＩＦとも呼ぶ。）１３を介してＬＡＮ４に接続され、ＰＳＴＮインタフェース（以下、ＰＳＴＮ  ＩＦと略す。）１４を介して公衆交換網８に接続される。
【００３０】
ＰＣ５は、ＬＡＮ４を介してＩＰ電話端末１からログ情報などを取得したり、後述する自動転送のための情報を設定したりすることが可能である。また、ＰＣ５は、インターネット７およびＧＷ（ゲートウェイ）６を介してＩＰ電話端末１からログ情報などを取得したり、後述する自動転送のための情報を設定したりすることも可能である。
【００３１】
なお、ＩＰ電話端末１は、電話機２または３と一体であってもよいし、ＩＰ電話端末のアダプタと通常の電話機との組合わせであってもよい。
【００３２】
図２は、本発明の実施の形態におけるＩＰ電話端末の他の接続例を示す図である。ＩＰ電話端末１は、ＴＥＬ  ＩＦ１１および１２を介して電話機２および３と接続され、１０ＢａｓｅＴインタフェース１３を介してＬＡＮ４に接続され、ＰＳＴＮ  ＩＦ１４を介して公衆交換網８に接続され、ＡＤＳＬなどのＤＳＬインタフェース１５を介してインターネット７に接続される。
【００３３】
ＰＣ５は、ＬＡＮ４を介してＩＰ電話端末１からログ情報などを取得したり、後述する自動転送のための情報を設定したりすることが可能である。また、ＰＣ５は、インターネット７およびＤＳＬインタフェース１５を介してＩＰ電話端末１からログ情報などを取得したり、後述する自動転送のための情報を設定したりすることも可能である。
【００３４】
図３は、本発明の実施の形態におけるＩＰ電話端末の概略構成を示すブロック図である。このＩＰ電話端末１は、ＴＥＬ  ＩＦ１１および１２と、ＬＡＮ  ＩＦ１３と、ＰＳＴＮ  ＩＦ１４と、ＤＳＬ  ＩＦ１５と、各種信号処理を行なうＤＳＰ（Ｄｉｇｉｔａｌ  Ｓｉｇｎａｌ  Ｐｒｏｃｅｓｓｏｒ）１６と、音声信号の圧縮／伸長を行なうＣＯＤＥＣ１７と、電話機２および３に対応して設けられるＳＬＩＣ（Ｓｕｂｓｃｒｉｂｅｒ  Ｌｉｎｅ  Ｉｎｔｅｒｆａｃｅ  Ｃｉｒｃｕｉｔ）１８および１９と、ＰＳＴＮ  ＩＦ１４を介して公衆交換網８からの発呼を検出する呼検出回路２０と、スイッチＡ２２および２３と、スイッチＢ２４および２５と、ＩＰ電話端末１の制御プログラム、ＰＣ５によって設定された転送先情報、自動転送方法、ログ情報などが格納される記憶部２６と、ＬＡＮの物理層を制御するＰＨＹ部２７と、ＤＳＬの物理層を制御するＰＨＹ部２８と、ＩＰ電話端末１全体の制御を行なう制御部２９とを含む。
【００３５】
制御部２９は、ＣＰＵ（Ｃｅｎｔｒａｌ  Ｐｒｏｃｅｓｓｉｎｇ  Ｕｎｉｔ）が記憶部２６に格納される制御プログラムを実行することによって実現される。なお、制御プログラムは、ＤＳＬ  ＩＦ１５およびインターネット７を介してダウンロードされて、記憶部２６に格納されてもよいし、ＬＡＮ  ＩＦ１３およびＬＡＮ４を介してダウンロードされて、記憶部２６に格納されてもよい。
【００３６】
発信時において、制御部２９は電話機２または３から入力された電話番号や特定のダイアル等によってＰＳＴＮかＩＰ電話かを判別する。ＰＳＴＮ発信の場合には、ＰＳＴＮ  ＩＦ１４を介して発呼を行なってスイッチＢ２４および２５をＰＳＴＮ側（図３においては下側）に接続する。また、ＩＰ電話発信の場合には、ＰＨＹ部２７または２８を制御してＩＰ電話交換網に対する発呼を行なう。
【００３７】
また、ＰＳＴＮ着信時において、呼検出回路２０が着信を検出すると、制御部２９はスイッチＢ２４および２５をＰＳＴＮ側に接続する。また、ＩＰ電話着信時において、制御部２９はＰＨＹ部２７または２８を制御してＩＰ電話交換網からの呼出通知を受信することによって着信を検出する。
【００３８】
ＰＨＹ部２７は、ＬＡＮの物理層を制御する部分であり、制御部２９の制御によってＬＡＮ４に接続されたＰＣ５などの機器とデータ通信などを行なう。また、ＰＨＹ部２８は、ＤＳＬの物理層を制御する部分であり、制御部２９の制御によってインターネット７に接続されたＩＰ電話交換機、ＰＣなどの機器とデータ通信を行なう。
【００３９】
ＳＬＩＣ１８および１９は、それぞれ電話機２および３のオフフックの検出処理、リンガ信号の生成処理などを行なう。
【００４０】
以下、本発明の実施の形態におけるＩＰ電話端末の自動転送処理について説明するが、この自動転送処理は交換機に設定された情報に基づいて行なわれるのではなく、ＩＰ電話端末に予め設定された情報に基づいて行なわれる。自動転送として、無条件転送、無応答時の転送、複数順転送および複数同時転送の４種類について説明する。
【００４１】
図４は、ＰＳＴＮ電話機からＩＰ電話機に対する着信があった場合の通常のシーケンスを説明するための図である。
【００４２】
（１）発信処理
まず、ＰＳＴＮ交換機３２が発信者の電話機（ＰＳＴＮ電話機）３１によるオフフックを検出すると、ＰＳＴＮ交換機３２は電話機３１に対して発信音を送出する。次に、発信者がダイアル入力を行なうと、ＰＳＴＮ交換機３２はＩＰ電話端末３３を介して電話機（ＩＰ電話機）Ａ３４に対して呼出信号を送出すると共に、電話機３１に対して呼出音を送出する。
【００４３】
そして、ＰＳＴＮ交換機３２は、ＩＰ電話端末３３を介して電話機Ａ３４によるオフフックを検出すると、電話機３１に対して応答信号を送出する。これによって、通話が開始される。
【００４４】
（２）発信側切断
ＰＳＴＮ交換機３２は、電話機３１によるオンフックを検出すると、ＩＰ電話端末３３を介して電話機Ａ３４に切断信号を送出する。そして、ＰＳＴＮ交換機３２は、ＩＰ電話端末３３を介して電話機３４に話中音を送出する。ＰＳＴＮ交換機３２は、電話機Ａ３４によるオンフックを検出すると、処理を終了する。
【００４５】
（３）着信側切断
ＰＳＴＮ交換機３２は、ＩＰ電話端末３３を介して電話機Ａ３４によるオンフックを検出すると、電話機３１に切断信号を送出する。そして、ＰＳＴＮ交換機３２は、電話機３１に対して話中音を送出する。ＰＳＴＮ交換機３２は、電話機３１によるオンフックを検出すると、処理を終了する。
【００４６】
図５は、ＰＳＴＮ電話機からＩＰ電話機に対する着信があった場合の無条件転送のシーケンスを説明するための図である。
【００４７】
（１）発信処理
まず、ＰＳＴＮ交換機３２が発信者の電話機３１によるオフフックを検出すると、ＰＳＴＮ交換機３２は電話機３１に対して発信音を送出する。次に、発信者がダイアル入力を行なうと、ＰＳＴＮ交換機３２はＩＰ電話端末Ａ３３に対して呼出信号を送出すると共に、電話機３１に対して呼出音を送出する。
【００４８】
ＩＰ電話端末Ａ３３は、ＰＳＴＮ交換機３２から呼出信号を受けると、予め設定された転送先の情報に基づいて、ＩＰ電話交換機３５に対して発信通知を行なう。ＩＰ電話交換機３５は、ＩＰ電話端末Ａ３３から発信通知を受けると、ＩＰ電話端末Ｂ３６に対して呼出通知を送出する。ＩＰ電話端末Ｂ３６は、ＩＰ電話交換機３５から呼出通知を受けると、転送先の電話機Ｂ３７に呼出信号を送出する。
【００４９】
次に、ＩＰ電話端末Ｂ３６は、電話機Ｂ３７によるオフフックを検出すると、ＩＰ電話交換機３５を介してＩＰ電話端末Ａ３３に応答通知を送出する。ＩＰ電話端末Ａ３３は応答通知を受けると、ＰＳＴＮ交換機３２に対してオフフックを示す信号を送出する。そして、ＰＳＴＮ交換機３２が電話機３１に対して応答信号を送出する。このようにして、無条件転送が行なわれる。
【００５０】
（２）発信側切断
ＰＳＴＮ交換機３２は、電話機３１によるオンフックを検出すると、ＩＰ電話端末Ａ３３に対して切断信号を送出する。そして、ＰＳＴＮ交換機３２は、ＩＰ電話端末Ａ３３に対して話中音を送出する。
【００５１】
ＩＰ電話端末Ａ３３はＰＳＴＮ交換機３２から切断信号を受けると、ＩＰ電話交換機３５を介してＩＰ電話端末Ｂ３６に切断通知を送出する。ＩＰ電話端末Ｂ３６はＩＰ電話交換機３５から切断通知を受けると、電話機Ｂ３７に対して切断信号を送出する。そして、ＩＰ電話端末Ｂ３６は電話機Ｂ３７に対して話中音を出力する。
【００５２】
ＩＰ電話端末Ｂ３６が電話機Ｂ３７によるオンフックを検出すると、処理を終了する。一方、ＩＰ電話端末Ａ３３はＰＳＴＮ交換機３２から話中音を受けると、ＰＳＴＮ交換機３２に対してオンフックを示す信号を送出する。ＰＳＴＮ交換機３２は、ＩＰ電話端末Ａ３３からのオンフックを示す信号を検出すると、処理を終了する。
【００５３】
（３）着信側切断
ＩＰ電話端末Ｂ３６は電話機Ｂ３７によるオンフックを検出すると、ＩＰ電話交換機３５を介してＩＰ電話端末Ａ３３に切断通知を送出する。ＩＰ電話端末Ａ３３は切断通知を受けると、ＰＳＴＮ交換機３２に対してオンフックを示す信号を送出する。ＰＳＴＮ交換機３２はオンフックを示す信号を受けると、電話機３１に対して切断信号を送出する。そして、ＰＳＴＮ交換機３２は電話機３１に対して話中音を送出する。ＰＳＴＮ交換機３２は、電話機３１によるオンフックを検出すると、処理を終了する。
【００５４】
図６は、ＰＳＴＮ電話機からＩＰ電話機に対する着信があった場合の無応答時の転送のシーケンスを説明するための図である。
【００５５】
（１）発信処理
まず、ＰＳＴＮ交換機３２が発信者の電話機３１によるオフフックを検出すると、ＰＳＴＮ交換機３２は電話機３１に対して発信音を送出する。次に、発信者がダイアル入力を行なうと、ＰＳＴＮ交換機３２はＩＰ電話端末Ａ３３に対して呼出信号を送出すると共に、電話機３１に対して呼出音を送出する。
【００５６】
ＩＰ電話端末Ａ３３は、ＰＳＴＮ交換機３２から呼出信号を受けると、電話機Ａ３４に対して呼出信号を送出する。その後、ＩＰ電話端末Ａ３３は、所定時間だけ電話機Ａ３４によるオフフックの検出を行なう。そして、所定時間内に電話機Ａ３４によるオフフックを検出しないと（タイムアウト）、ＩＰ電話端末Ａ３３は、予め設定された転送先の情報に基づいて、ＩＰ電話交換機３５に対して発信通知を行なう。ＩＰ電話交換機３５は、ＩＰ電話端末Ａ３３から発信通知を受けると、ＩＰ電話端末Ｂ３６に対して呼出通知を送出する。ＩＰ電話端末Ｂ３６は、ＩＰ電話交換機３５から呼出通知を受けると、転送先の電話機Ｂ３７に呼出信号を送出する。
【００５７】
次に、ＩＰ電話端末Ｂ３６は、電話機Ｂ３７によるオフフックを検出すると、ＩＰ電話交換機３５を介してＩＰ電話端末Ａ３３に応答通知を送出する。ＩＰ電話端末Ａ３３は応答通知を受けると、ＰＳＴＮ交換機３２に対してオフフックを示す信号を送出する。そして、ＰＳＴＮ交換機３２が電話機３１に対して応答信号を送出する。このようにして、無応答時の転送が行なわれる。
【００５８】
（２）発信側切断
図５の（２）に示す発信側切断のシーケンスと同様であるので、詳細な説明は繰返さない。
【００５９】
（３）着信側切断
図５の（３）に示す着信側切断のシーケンスと同様であるので、詳細な説明は繰返さない。
【００６０】
図７は、ＰＳＴＮ電話機からＩＰ電話機に対する着信があった場合の複数順転送のシーケンスを説明するための図である。図７においては、転送先Ｂ、転送先Ｃ…に対して順次発信を行ない、転送先Ｃから応答があった場合のシーケンスを示している。
【００６１】
（１）発信処理
まず、ＰＳＴＮ交換機３２が発信者の電話機３１によるオフフックを検出すると、ＰＳＴＮ交換機３２は電話機３１に対して発信音を送出する。次に、発信者がダイアル入力を行なうと、ＰＳＴＮ交換機３２はＩＰ電話端末Ａ３３に対して呼出信号を送出すると共に、電話機３１に対して呼出音を送出する。
【００６２】
ＩＰ電話端末Ａ３３は、ＰＳＴＮ交換機３２から呼出信号を受けると、電話機Ａ３４に対して呼出信号を送出する。その後、ＩＰ電話端末Ａ３３は、所定時間だけ電話機Ａ３４によるオフフックの検出を行なう。そして、所定時間内に電話機Ａ３４によるオフフックを検出しないと（タイムアウト）、ＩＰ電話端末Ａ３３は、予め設定された転送先の情報に基づいて、ＩＰ電話交換機３５に対して発信通知を行なう。ここで、まず転送先Ｂに対する発信通知が行なわれる。
【００６３】
ＩＰ電話交換機３５は、ＩＰ電話端末Ａ３３から発信通知を受けると、ＩＰ電話端末Ｂ３６に対して呼出通知を送出する。ＩＰ電話端末Ｂ３６は、ＩＰ電話交換機３５から呼出通知を受けると、転送先の電話機Ｂ３７に呼出信号を送出する。所定時間応答がなければ（タイムアウト）、ＩＰ電話交換機３５に転送先Ｂに対する発信中止を通知すると共に、次の転送先Ｃに対する発信通知を行なう。
【００６４】
ＩＰ電話端末Ｃは、転送先Ｃの電話機によるオフフックを検出すると、ＩＰ電話交換機３５を介してＩＰ電話端末Ａ３３に応答通知を送出する。ＩＰ電話端末Ａ３３は応答通知を受けると、ＰＳＴＮ交換機３２に対してオフフックを示す信号を送出する。そして、ＰＳＴＮ交換機３２が電話機３１に対して応答信号を送出する。このようにして、複数順転送が行なわれる。
【００６５】
（２）発信側切断
図５の（２）に示す発信側切断のシーケンスと同様であるので、詳細な説明は繰返さない。
【００６６】
（３）着信側切断
図５の（３）に示す着信側切断のシーケンスと同様であるので、詳細な説明は繰返さない。
【００６７】
図８は、ＰＳＴＮ電話機からＩＰ電話機に対する着信があった場合の複数同時転送のシーケンスを説明するための図である。図８においては、転送先Ｂおよび転送先Ｃに対して同時発信を行ない、転送先Ｃから応答があった場合のシーケンスを示している。
【００６８】
（１）発信処理
まず、ＰＳＴＮ交換機３２が発信者の電話機３１によるオフフックを検出すると、ＰＳＴＮ交換機３２は電話機３１に対して発信音を送出する。次に、発信者がダイアル入力を行なうと、ＰＳＴＮ交換機３２はＩＰ電話端末Ａ３３に対して呼出信号を送出すると共に、電話機３１に対して呼出音を送出する。
【００６９】
ＩＰ電話端末Ａ３３は、ＰＳＴＮ交換機３２から呼出信号を受けると、電話機Ａ３４に対して呼出信号を送出する。その後、ＩＰ電話端末Ａ３３は、所定時間だけ電話機Ａ３４によるオフフックの検出を行なう。そして、所定時間内に電話機Ａ３４によるオフフックを検出しないと（タイムアウト）、ＩＰ電話端末Ａ３３は、予め設定された転送先の情報に基づいて、ＩＰ電話交換機３５に対して発信通知を行なう。ここでは、転送先Ｂおよび転送先Ｃに対する発信通知が行なわれる。
【００７０】
ＩＰ電話交換機３５は、ＩＰ電話端末Ａ３３から発信通知を受けると、ＩＰ電話端末Ｂ３６およびＩＰ電話端末Ｃに対して呼出通知を送出する。ＩＰ電話端末Ｂ３６およびＩＰ電話端末Ｃは、ＩＰ電話交換機３５から呼出通知を受けると、転送先の電話機Ｂ３７および電話機Ｃに呼出信号を送出する。
【００７１】
ＩＰ電話端末Ｃは、転送先Ｃの電話機によるオフフックを検出すると、ＩＰ電話交換機３５を介してＩＰ電話端末Ａ３３に応答通知を送出する。ＩＰ電話端末Ａ３３は応答通知を受けると、ＰＳＴＮ交換機３２に対してオフフックを示す信号を送出すると共に、ＩＰ電話交換機３５に対して転送先Ｂへの発信中止を通知する。ＰＳＴＮ交換機３２はオフフックを示す信号を受けると、電話機３１に対して応答信号を送出する。このようにして、複数同時転送が行なわれる。
【００７２】
（２）発信側切断
図５の（２）に示す発信側切断のシーケンスと同様であるので、詳細な説明は繰返さない。
【００７３】
（３）着信側切断
図５の（３）に示す着信側切断のシーケンスと同様であるので、詳細な説明は繰返さない。
【００７４】
図９は、転送方法および転送先の設定画面の一例を示す図である。この画面は、図１または図２に示すＰＣ５のディスプレイ装置に表示されたものである。ＰＣ５は、ユーザによって設定された転送方法および転送先をＩＰ電話端末１へ送信することによって、ＩＰ電話端末１への設定が行なわれる。図９においては、無応答転送（タイムアウト時間が１０秒）および複数同時転送が選択され、転送先が“０５０１２３４１２３４”および“０５０５５５５１１１１”であることを示している。
【００７５】
図１０は、転送方法の設定フォーマットの一例を示す図である。図１０に示す“転送可否”、“無応答転送可否”、“無応答判定時間”および“複数転送可否”の４つの項目に設定された内容によって転送方法が決定される。たとえば、転送可否が“Ｏｎ”であり、無応答転送可否が“Ｏｆｆ”であり、複数転送可否が“順転送”である場合には、無条件に複数順転送が行なわれる。また、転送可否が“Ｏｎ”であり、無応答転送可否が“Ｏｎ”であり、無応答判定時間が“１０秒”であり、複数転送可否が“同時転送”である場合には、１０秒間応答がなければ複数同時転送が行なわれる。
【００７６】
図１１は、転送先の設定フォーマットの一例を示す図である。図１１においては、“０５０１２３４１２３４”および“０５０５５５５１１１１”への転送が行なわれ、“０５０１１１１２２２２”および“０５０３３３３４４４４”への転送が行なわれないように設定されている。
【００７７】
図１２は、本発明の実施の形態におけるＩＰ電話端末の処理手順を説明するためのフローチャートである。まず、制御部２９は、呼検出回路２０によってＰＳＴＮ着信が検出されたか否かを判定する（Ｓ１１）。呼検出回路２０によってＰＳＴＮ着信が検出されない場合（Ｓ１１，Ｎｏ）、制御部２９はＰＳＴＮ着信があるまで待機する。
【００７８】
呼検出回路２０によってＰＳＴＮ着信が検出された場合（Ｓ１１，Ｙｅｓ）、制御部２９は自動転送が設定されているか否かを判定する（Ｓ１２）。自動転送が設定されていなければ（Ｓ１２，Ｎｏ）、制御部２９はスイッチＢ２４および２５をＰＳＴＮ側に切替え（Ｓ１３）、ＰＳＴＮ  ＩＦ１４を介してＰＳＴＮ交換機から切断信号を受信したか、または電話機によるオンフックを検出したかを判定する（Ｓ１４）。
【００７９】
ＰＳＴＮ交換機からの切断信号および電話機によるオンフックのいずれも検出しなければ（Ｓ１４，Ｎｏ）、ステップＳ１４に戻って処理を繰返す。また、ＰＳＴＮ交換機からの切断信号または電話機によるオンフックを検出すれば（Ｓ１４，Ｙｅｓ）、スタートに戻って処理を繰返す。
【００８０】
また、自動転送が設定されていれば（Ｓ１２，Ｙｅｓ）、制御部２９は無条件転送が設定されているか否かを判定する（Ｓ１６）。無条件転送が設定されていれば（Ｓ１６，Ｙｅｓ）、図１３に示す転送処理へ進む。無条件転送が設定されていなければ（Ｓ１６，Ｎｏ）、制御部２９は無応答転送が設定されているか否かを判定する（Ｓ１７）。無応答転送が設定されていなければ（Ｓ１７，Ｎｏ）、図１３に示す転送処理へ進む。
【００８１】
無応答転送が設定されていれば（Ｓ１７，Ｙｅｓ）、制御部２９はスイッチＢ２４および２５をＰＳＴＮ側へ切替え（Ｓ１８）、ＰＳＴＮ  ＩＦ１４を介してＰＳＴＮ交換機から切断信号を受信したか、または電話機によるオフフックを検出したかを判定する（Ｓ１９）。
【００８２】
ＰＳＴＮ交換機からの切断信号および電話機によるオフフックのいずれも検出しなければ（Ｓ１９，Ｎｏ）、所定時間経過（タイムアウト）したか否かを判定する（Ｓ２０）。タイムアウトでなければ（Ｓ２０，Ｎｏ）、ステップＳ１９に戻って処理を繰返す。タイムアウトであれば（Ｓ２０，Ｙｅｓ）、図１３に示す転送処理へ進む。
【００８３】
また、ＰＳＴＮ交換機からの切断信号または電話機によるオフフックを検出すれば（Ｓ１９，Ｙｅｓ）、制御部２９はＰＳＴＮ交換機からの切断信号を受信したか、または電話機によるオンフックを検出したかを判定する（Ｓ２１）。ＰＳＴＮ交換機からの切断信号および電話機によるオンフックのいずれも検出しなければ（Ｓ２１，Ｎｏ）、ステップ２１の処理を繰返す。また、ＰＳＴＮ交換機からの切断信号または電話機によるオンフックを検出すれば（Ｓ２１，Ｙｅｓ）、制御部２９はスイッチＢ２４および２５を元に戻し（Ｓ２２）、スタートに戻って処理を繰返す。
【００８４】
図１３は、転送処理の処理手順を説明するためのフローチャートである。まず、制御部２９は複数転送が設定されているか否かを判定する（Ｓ３１）。複数転送が設定されていれば（Ｓ３１，Ｙｅｓ）、図１４に示す複数転送処理へ進む。
【００８５】
また、複数転送が設定されていなければ（Ｓ３１，Ｎｏ）、制御部２９はＰＨＹ部２７または２８などを制御して、転送先（設定された転送先の中の先頭番号の転送先）への発呼を行なう（Ｓ３２）。
【００８６】
次に、制御部２９は、ＩＰ電話交換機から応答通知があり、かつ話中でないか否かを判定する（Ｓ３３）。ＰＳＴＮ交換機から応答通知がないか、話中の場合には（Ｓ３３，Ｎｏ）、制御部２９はＰＳＴＮ交換機から切断信号を受けたか否かを判定する。切断信号を受けていなければ（Ｓ３４，Ｎｏ）、ステップＳ３３へ戻って以降の処理を繰返す。また、切断信号を受けていれば（Ｓ３４，Ｙｅｓ）、図１２のスタートに戻って処理を繰返す。
【００８７】
応答通知があり、かつ話中でない場合には（Ｓ３３，Ｙｅｓ）、制御部２９はスイッチＡ２２および２３をＰＳＴＮ側に切替えて転送接続を行なう（Ｓ３５）。そして、ＰＳＴＮ交換機からの切断信号またはＩＰ電話交換機からの切断通知があるか否かを判定する（Ｓ３６）。
【００８８】
ＰＳＴＮ交換機からの切断信号およびＩＰ電話交換機からの切断通知のいずれもなければ（Ｓ３６，Ｎｏ）、ステップＳ３６の処理を繰返す。また、ＰＳＴＮ交換機からの切断信号またはＩＰ電話交換機からの切断通知のいずれかがあれば（Ｓ３６，Ｙｅｓ）、制御部２９はスイッチＡ２２および２３を元に戻し（Ｓ３７）、図１２のスタートに戻って以降の処理を繰返す。
【００８９】
図１４は、複数転送処理の処理手順を説明するためのフローチャートである。まず、制御部２９は、複数同時転送が設定されているか否かを判定する（Ｓ４１）。複数同時転送が設定されていれば（Ｓ４１，Ｙｅｓ）、図１５に示す複数同時転送処理へ進む。
【００９０】
また、複数同時転送が設定されていなければ（Ｓ４１，Ｎｏ）、制御部２９はＰＨＹ部２７または２８などを制御して、転送先（設定された転送先の中の先頭番号の転送先）への発呼を行なう（Ｓ４２）。
【００９１】
次に、制御部２９は、ＩＰ電話交換機から応答通知があり、かつ話中でないか否かを判定する（Ｓ４３）。応答通知があり、かつ話中でない場合には（Ｓ４３，Ｙｅｓ）、制御部２９はスイッチＡ２２および２３をＰＳＴＮ側に切替えて転送接続を行なう（Ｓ４４）。そして、ＰＳＴＮ交換機からの切断信号またはＩＰ電話交換機からの切断通知があるか否かを判定する（Ｓ４５）。
【００９２】
ＰＳＴＮ交換機からの切断信号およびＩＰ電話交換機からの切断通知のいずれもなければ（Ｓ４５，Ｎｏ）、ステップＳ４５の処理を繰返す。また、ＰＳＴＮ交換機からの切断信号またはＩＰ電話交換機からの切断通知があれば（Ｓ４５，Ｙｅｓ）、制御部２９はスイッチＡ２２および２３を元に戻し（Ｓ４６）、図１２のスタートに戻って以降の処理を繰返す。
【００９３】
ＰＳＴＮ交換機から応答通知がないか、話中の場合には（Ｓ４３，Ｎｏ）、制御部２９はＰＳＴＮ交換機から切断信号を受けたか否かを判定する。切断信号を受けていれば（Ｓ４７，Ｙｅｓ）、発呼をキャンセルし（Ｓ４８）、図１２のスタートに戻って処理を繰返す。
【００９４】
また、切断信号を受けていなければ（Ｓ４７，Ｎｏ）、タイムアウトであるか否かを判定する（Ｓ４９）。タイムアウトでなければ（Ｓ４９，Ｎｏ）、ステップＳ４３へ戻って以降の処理を繰返す。また、タイムアウトであれば（Ｓ４９，Ｙｅｓ）、発呼をキャンセルし（Ｓ５０）、次の転送先の設定があるか否かを判定する（Ｓ５１）。次の転送先の設定がなければ（Ｓ５１，Ｎｏ）、ステップＳ４２へ戻って以降の処理を繰返す。また、次の転送先の設定があれば（Ｓ５１，Ｙｅｓ）、次の転送先への発呼を行ない（Ｓ５２）、ステップＳ４３へ戻って以降の処理を繰返す。
【００９５】
図１５は、複数同時転送処理の処理手順を説明するためのフローチャートである。まず、制御部２９はＰＨＹ部２７または２８などを制御して、転送先（設定された転送先の中の先頭番号の転送先）への発呼を行なう（Ｓ６１）。
【００９６】
次に、制御部２９は、次の転送先が設定されているか否かを判定する（Ｓ６２）。次の転送先が設定されていれば（Ｓ６２，Ｙｅｓ）、ステップＳ６１に戻って次の転送先への発呼を行なう。次の転送先がなければ（Ｓ６２，Ｎｏ）、制御部２９は、ＩＰ電話交換機から応答通知があり、かつ話中でないか否かを判定する（Ｓ６３）。
【００９７】
応答通知があり、かつ話中でない場合には（Ｓ６３，Ｙｅｓ）、制御部２９は最初に応答通知があった転送先以外の発呼を全てキャンセルし（Ｓ６６）、スイッチＡ２２および２３をＰＳＴＮ側に切替えて転送接続を行なう（Ｓ６７）。そして、ＰＳＴＮ交換機からの切断信号またはＩＰ電話交換機からの切断通知があるか否かを判定する（Ｓ６８）。
【００９８】
ＰＳＴＮ交換機からの切断信号およびＩＰ電話交換機からの切断通知のいずれもなければ（Ｓ６８，Ｎｏ）、ステップＳ６８の処理を繰返す。また、ＰＳＴＮ交換機からの切断信号またはＩＰ電話交換機からの切断通知のいずれかがあれば（Ｓ６８，Ｙｅｓ）、制御部２９はスイッチＡ２２および２３を元に戻し（Ｓ６９）、図１２のスタートに戻って以降の処理を繰返す。
【００９９】
ＰＳＴＮ交換機から応答通知がないか、話中の場合には（Ｓ６３，Ｎｏ）、制御部２９はＰＳＴＮ交換機から切断信号を受けたか否かを判定する（Ｓ６４）。切断信号を受けていれば（Ｓ６４，Ｙｅｓ）、発呼をキャンセルし（Ｓ６５）、図１２のスタートに戻って処理を繰返す。また、切断信号を受けていなければ（Ｓ６４，Ｎｏ）、ステップＳ６３へ戻って以降の処理を繰返す。
【０１００】
以上の説明においては、ＰＳＴＮ着信があった場合の転送処理についてであった。以下に、ＩＰ電話着信があった場合の転送処理について説明する。
【０１０１】
図１６は、ＩＰ電話機からＩＰ電話機に対する着信があった場合の通常のシーケンスを説明するための図である。
【０１０２】
（１）発信処理
まず、ＩＰ電話端末４２が発信者の電話機（ＩＰ電話機）４１によるオフフックを検出すると、ＩＰ電話端末４２は電話機４１に対して発信音を送出する。次に、発信者がダイアル入力を行なうと、ＩＰ電話端末４２はＩＰ電話交換機４３に対して発信通知を行なうと共に、電話機４１に呼出音を送出する。
【０１０３】
ＩＰ電話交換機４３はＩＰ電話端末４２から発信通知を受けると、ＩＰ電話端末４４に対して呼出通知を行なう。ＩＰ電話端末４４は、ＩＰ電話交換機４３から呼出通知を受けると、電話機（ＩＰ電話機）Ａ４５に対して呼出信号を送出する。
【０１０４】
そして、ＩＰ電話端末４４は、電話機Ａ４５によるオフフックを検出すると、ＩＰ電話交換機４３を介してＩＰ電話端末４２に対して応答通知を行なう。ＩＰ電話端末４２は応答通知を受けると、電話機４１に対して応答信号を送出する。これによって、通話が開始される。
【０１０５】
（２）発信側切断
ＩＰ電話端末４２は、電話機４１によるオンフックを検出すると、ＩＰ電話交換機４３を介してＩＰ電話端末４４に切断通知を送出する。ＩＰ電話端末４４は切断通知を受けると、電話機Ａ４５に切断信号を送出すると共に、話中音を送出する。ＩＰ電話端末４４は、電話機Ａ４５によるオンフックを検出すると、処理を終了する。
【０１０６】
（３）着信側切断
ＩＰ電話端末４４は、電話機Ａ４５によるオンフックを検出すると、ＩＰ電話交換機４３を介してＩＰ電話端末４２に切断通知を送出する。ＩＰ電話端末４２はＩＰ電話交換機４３から切断通知を受けると、電話機４１に切断信号を送出すると共に、電話機４１に対して話中音を送出する。ＩＰ電話端末４２は、電話機４１によるオンフックを検出すると、処理を終了する。
【０１０７】
図１７は、ＩＰ電話機からＩＰ電話機に対する着信があった場合の無条件転送のシーケンスを説明するための図である。なお、図１７に示すＩＰ電話交換機４３と４６とは、同一の交換機の場合もある。
【０１０８】
（１）発信処理
まず、ＩＰ電話端末４２が発信者の電話機４１によるオフフックを検出すると、ＩＰ電話端末４２は電話機４１に対して発信音を送出する。次に、発信者がダイアル入力を行なうと、ＩＰ電話端末４２はＩＰ電話交換機４３に対して発信通知を行なうと共に、電話機４１に対して呼出音を送出する。ＩＰ電話交換機４３は発信通知を受けると、ＩＰ電話端末Ａ４４に対して呼出通知を送出する。
【０１０９】
ＩＰ電話端末Ａ４４は、ＩＰ電話交換機４３から呼出通知を受けると、予め設定された転送先の情報に基づいて、ＩＰ電話交換機４６に対して発信通知を行なう。ＩＰ電話交換機４６は、ＩＰ電話端末Ａ４４から発信通知を受けると、ＩＰ電話端末Ｂ４７に対して呼出通知を送出する。ＩＰ電話端末Ｂ４７は、ＩＰ電話交換機４６から呼出通知を受けると、転送先の電話機Ｂ４８に呼出信号を送出する。
【０１１０】
次に、ＩＰ電話端末Ｂ４７は、電話機Ｂ４８によるオフフックを検出すると、ＩＰ電話交換機４６、ＩＰ電話端末Ａ４４およびＩＰ電話交換機４３を介してＩＰ電話端末４２に応答通知を送出する。ＩＰ電話端末４２は応答通知を受けると、電話機４１に対して応答信号を送出する。このようにして、無条件転送が行なわれる。
【０１１１】
（２）発信側切断
ＩＰ電話端末４２は、電話機４１によるオンフックを検出すると、ＩＰ電話交換機４３、ＩＰ電話端末Ａ４４およびＩＰ電話交換機４６を介してＩＰ電話端末Ｂ４７に対して切断通知を送出する。そして、ＩＰ電話端末Ｂ４７は、電話機Ｂ４８に対して話中音を送出する。ＩＰ電話端末Ｂ４７は、電話機Ｂ４８によるオンフックを検出すると、処理を終了する。
【０１１２】
（３）着信側切断
ＩＰ電話端末Ｂ４７は電話機Ｂ４８によるオンフックを検出すると、ＩＰ電話交換機４６、ＩＰ電話端末Ａ４４およびＩＰ電話交換機４３を介してＩＰ電話端末４２に切断通知を送出する。ＩＰ電話端末４２は切断通知を受けると、電話機４１に対して切断信号を送出する。そして、ＩＰ電話端末４２は電話機４１に対して話中音を送出する。ＩＰ電話端末４２は、電話機４１によるオンフックを検出すると、処理を終了する。
【０１１３】
図１８は、ＩＰ電話機からＩＰ電話機に対する着信があった場合の無応答時の転送のシーケンスを説明するための図である。なお、図１８に示すＩＰ電話交換機４３と４６とは、同一の交換機の場合もある。
【０１１４】
（１）発信処理
まず、ＩＰ電話端末４２が発信者の電話機４１によるオフフックを検出すると、ＩＰ電話端末４２は電話機４１に対して発信音を送出する。次に、発信者がダイアル入力を行なうと、ＩＰ電話端末４２はＩＰ電話交換機４３に対して発信通知を送出する。
【０１１５】
ＩＰ電話交換機４３は発信通知を受けると、ＩＰ電話端末Ａ４４に対して呼出通知を送出する。ＩＰ電話端末Ａ４４は呼出通知を受けると、電話機Ａ４５に対して呼出信号を送出する。その後、ＩＰ電話端末Ａ４４は、所定時間だけ電話機Ａ４５によるオフフックの検出を行なう。そして、所定時間内に電話機Ａ４５によるオフフックを検出しないと（タイムアウト）、ＩＰ電話端末Ａ４４は予め設定された転送先の情報に基づいて、ＩＰ電話交換機４６に対して発信通知を行なう。ＩＰ電話交換機４６はＩＰ電話端末Ａ４４から発信通知を受けると、ＩＰ電話端末Ｂ４７に対して呼出通知を送出する。ＩＰ電話端末Ｂ４７は、ＩＰ電話交換機４６から呼出通知を受けると、転送先の電話機Ｂ４８に呼出信号を送出する。
【０１１６】
次に、ＩＰ電話端末Ｂ４７は、電話機Ｂ４８によるオフフックを検出すると、ＩＰ電話交換機４６、ＩＰ電話端末Ａ４４およびＩＰ電話交換機４３を介してＩＰ電話端末４２に応答通知を送出する。ＩＰ電話端末４２は応答通知を受けると、電話機４１に対して応答信号を送出する。このようにして、無応答時の転送が行なわれる。
【０１１７】
（２）発信側切断
図１７の（２）に示す発信側切断のシーケンスと同様であるので、詳細な説明は繰返さない。
【０１１８】
（３）着信側切断
図１７の（３）に示す着信側切断のシーケンスと同様であるので、詳細な説明は繰返さない。
【０１１９】
図１９は、ＩＰ電話機からＩＰ電話機に対する着信があった場合の複数順転送のシーケンスを説明するための図である。図１９においては、転送先Ｂ、転送先Ｃ…に対して順次発信を行ない、転送先Ｃから応答があった場合のシーケンスを示している。なお、図１９に示すＩＰ電話交換機４３と４６とは、同一の交換機の場合もある。
【０１２０】
（１）発信処理
まず、ＩＰ電話端末４２が発信者の電話機４１によるオフフックを検出すると、ＩＰ電話端末４２は電話機４１に対して発信音を送出する。次に、発信者がダイアル入力を行なうと、ＩＰ電話端末４２はＩＰ電話交換機４３に対して発信通知を行なうと共に、電話機４１に対して呼出音を送出する。
【０１２１】
ＩＰ電話交換機４３は、ＩＰ電話端末４２から発信通知を受けると、ＩＰ電話端末Ａ４４に対して呼出通知を行なう。ＩＰ電話端末Ａ４４はＩＰ電話交換機４３から呼出通知を受けると、電話機Ａ４５に対して呼出信号を送出する。その後、ＩＰ電話端末Ａ４４は、所定時間だけ電話機Ａ４５によるオフフックの検出を行なう。そして、所定時間内に電話機Ａ４５によるオフフックを検出しないと（タイムアウト）、ＩＰ電話端末Ａ４４は、予め設定された転送先の情報に基づいて、ＩＰ電話交換機４６に対して発信通知を行なう。ここで、まず転送先Ｂに対する発信通知が行なわれる。
【０１２２】
ＩＰ電話交換機４６は、ＩＰ電話端末Ａ４４から発信通知を受けると、ＩＰ電話端末Ｂ４７に対して呼出通知を送出する。ＩＰ電話端末Ｂ４７は、ＩＰ電話交換機４６から呼出通知を受けると、転送先の電話機Ｂ４８に呼出信号を送出する。所定時間応答がなければ（タイムアウト）、ＩＰ電話交換機４６に転送先Ｂに対する発信中止を通知すると共に、次の転送先Ｃに対する発信通知を行なう。
【０１２３】
ＩＰ電話端末Ｃは転送先Ｃの電話機によるオフフックを検出すると、ＩＰ電話交換機４６、ＩＰ電話端末Ａ４４およびＩＰ電話交換機４３を介してＩＰ電話端末４２に応答通知を送出する。ＩＰ電話端末４２は応答通知を受けると、電話機４１に対して応答信号を送出する。このようにして、複数順転送が行なわれる。
【０１２４】
（２）発信側切断
図１７の（２）に示す発信側切断のシーケンスと同様であるので、詳細な説明は繰返さない。
【０１２５】
（３）着信側切断
図１７の（３）に示す着信側切断のシーケンスと同様であるので、詳細な説明は繰返さない。
【０１２６】
図２０は、ＩＰ電話機からＩＰ電話機に対する着信があった場合の複数同時転送のシーケンスを説明するための図である。図２０においては、転送先Ｂおよび転送先Ｃに対して同時発信を行ない、転送先Ｃから応答があった場合のシーケンスを示している。なお、図２０に示すＩＰ電話交換機４３と４６とは、同一の交換機の場合もある。
【０１２７】
（１）発信処理
まず、ＩＰ電話端末４２が発信者の電話機４１によるオフフックを検出すると、ＩＰ電話端末４２は電話機４１に対して発信音を送出する。次に、発信者がダイアル入力を行なうと、ＩＰ電話端末４２はＩＰ電話交換機４３に対して発信通知を行なうと共に、電話機４１に対して呼出音を送出する。
【０１２８】
ＩＰ電話交換機４３は、ＩＰ電話端末４２から発信通知を受けると、ＩＰ電話端末Ａ４４に対して呼出通知を行なう。ＩＰ電話端末Ａ４４はＩＰ電話交換機４３から呼出通知を受けると、電話機Ａ４５に対して呼出信号を送出する。その後、ＩＰ電話端末Ａ４４は、所定時間だけ電話機Ａ４５によるオフフックの検出を行なう。そして、所定時間内に電話機Ａ４５によるオフフックを検出しないと（タイムアウト）、ＩＰ電話端末Ａ４４は、予め設定された転送先の情報に基づいて、ＩＰ電話交換機４６に対して発信通知を行なう。ここでは、転送先Ｂおよび転送先Ｃに対する発信通知が行なわれる。
【０１２９】
ＩＰ電話交換機４６は、ＩＰ電話端末Ａ４４から発信通知を受けると、ＩＰ電話端末Ｂ４７およびＩＰ電話端末Ｃに対して呼出通知を送出する。ＩＰ電話端末Ｂ４７およびＩＰ電話端末Ｃは、ＩＰ電話交換機４６から呼出通知を受けると、転送先の電話機Ｂ４８および電話機Ｃに呼出信号を送出する。
【０１３０】
ＩＰ電話端末Ｃは、転送先Ｃの電話機によるオフフックを検出すると、ＩＰ電話交換機４６を介してＩＰ電話端末Ａ４４に応答通知を送出する。ＩＰ電話端末Ａ４４は応答通知を受けると、ＩＰ電話交換機４３を介してＩＰ電話端末４２に応答通知を送出すると共に、ＩＰ電話交換機４６に対して転送先Ｂへの発信中止を通知する。ＩＰ電話端末４２は、ＩＰ電話交換機４３から応答通知を受けると、電話機４１に対して応答信号を送出する。このようにして、複数同時転送が行なわれる。
【０１３１】
（２）発信側切断
図１７の（２）に示す発信側切断のシーケンスと同様であるので、詳細な説明は繰返さない。
【０１３２】
（３）着信側切断
図１７の（３）に示す着信側切断のシーケンスと同様であるので、詳細な説明は繰返さない。
【０１３３】
以上説明したように、本実施の形態におけるＩＰ電話端末によれば、ＩＰ電話端末に設定された情報に基づいて自動転送を行なうようにしたので、ＰＳＴＮ交換機にアクセスして転送先の電話番号などの設定を行なう必要がなくなり、ユーザの利便性を向上させることが可能となった。
【０１３４】
また、ＩＰ電話端末は、着信があった場合に、複数の転送先に順次転送する複数順転送または複数の転送先に同時に転送する複数同時転送を行なうようにしたので、ユーザが転送先を全て設定しておけば、確実に着信の転送を受けることが可能となった。
【０１３５】
また、ＰＳＴＮ着信だけでなく、ＩＰ電話着信があった場合にも着信の転送を行なえるようにしたので、ユーザの利便性を向上させることが可能となった。
【０１３６】
さらには、従来のボイスワープなどのサービスを受ける必要がないため、着信の転送を安価に実現することが可能となった。
【０１３７】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１３８】
【発明の効果】
請求項１に記載のＩＰ電話端末によれば、転送手段が予め設定された転送先情報に基づいて転送先のＩＰ電話機への発呼を行ない、転送先のＩＰ電話機からの応答に応じて発信者の電話機と転送先のＩＰ電話機との転送接続を行なうので、ユーザが交換機にアクセスして転送先の電話番号などの設定を行なう必要がなくなり、ユーザの利便性を向上させることが可能となった。
【０１３９】
請求項２に記載のＩＰ電話端末によれば、発信者の電話機からのＰＳＴＮ着信があった場合に、転送手段が発信者の電話機と転送先のＩＰ電話機との転送接続を行なうので、ＰＳＴＮ着信を予め設定されたＩＰ電話機に転送することが可能となった。
【０１４０】
請求項３に記載のＩＰ電話端末によれば、発信者の電話機からのＩＰ電話着信があった場合に、転送手段が発信者の電話機と転送先のＩＰ電話機との転送接続を行なうので、ＩＰ電話着信を予め設定されたＩＰ電話機に転送することが可能となった。
【０１４１】
請求項４に記載のＩＰ電話端末によれば、転送手段は発信者の電話機からの着信があった場合に、直ちに格納手段によって格納された転送先情報に基づいて転送先のＩＰ電話機への発呼を行なうので、転送時間を短縮することができ、発信者が応答を待つ時間を短くすることが可能となった。
【０１４２】
請求項５に記載のＩＰ電話端末によれば、発信者の電話機からの着信があり、当該ＩＰ電話端末に接続される電話機によるオフフックが所定時間なかった場合に、転送手段が格納手段によって格納された転送先情報に基づいて転送先のＩＰ電話機への発呼を行なうので、ユーザがＩＰ電話端末が設置されている場所にいる場合であっても、発信者からの着信に応答することが可能となった。
【０１４３】
請求項６に記載のＩＰ電話端末によれば、転送手段が格納手段によって格納された転送先情報に基づいて、複数の転送先のＩＰ電話機へ順次発呼を行なうので、ユーザの外出先が複数ある場合であっても、着信の転送を受けることが可能となった。
【０１４４】
請求項７に記載のＩＰ電話端末によれば、転送手段が格納手段によって格納された転送先情報に基づいて、複数の転送先のＩＰ電話機へ同時に発呼を行なうので、ユーザの外出先が複数ある場合であっても、着信の転送を受けることが可能となった。
【０１４５】
請求項８に記載のＩＰ電話端末の電話転送方法によれば、予め設定された転送先情報に基づいて転送先のＩＰ電話機への発呼を行ない、転送先のＩＰ電話機からの応答に応じて発信者の電話機と転送先のＩＰ電話機との転送接続を行なうので、ユーザが交換機にアクセスして転送先の電話番号などの設定を行なう必要がなくなり、ユーザの利便性を向上させることが可能となった。
【図面の簡単な説明】
【図１】本発明の実施の形態におけるＩＰ電話端末の接続例を示す図である。
【図２】本発明の実施の形態におけるＩＰ電話端末の他の接続例を示す図である。
【図３】本発明の実施の形態におけるＩＰ電話端末の概略構成を示すブロック図である。
【図４】ＰＳＴＮ電話機からＩＰ電話機に対する着信があった場合の通常のシーケンスを説明するための図である。
【図５】ＰＳＴＮ電話機からＩＰ電話機に対する着信があった場合の無条件転送のシーケンスを説明するための図である。
【図６】ＰＳＴＮ電話機からＩＰ電話機に対する着信があった場合の無応答時の転送のシーケンスを説明するための図である。
【図７】ＰＳＴＮ電話機からＩＰ電話機に対する着信があった場合の複数順転送のシーケンスを説明するための図である。
【図８】ＰＳＴＮ電話機からＩＰ電話機に対する着信があった場合の複数同時転送のシーケンスを説明するための図である。
【図９】転送方法および転送先の設定画面の一例を示す図である。
【図１０】転送方法の設定フォーマットの一例を示す図である。
【図１１】転送先の設定フォーマットの一例を示す図である。
【図１２】本発明の実施の形態におけるＩＰ電話端末の処理手順を説明するためのフローチャートである。
【図１３】転送処理の処理手順を説明するためのフローチャートである。
【図１４】複数転送処理の処理手順を説明するためのフローチャートである。
【図１５】複数同時転送処理の処理手順を説明するためのフローチャートである。
【図１６】ＩＰ電話機からＩＰ電話機に対する着信があった場合の通常のシーケンスを説明するための図である。
【図１７】ＩＰ電話機からＩＰ電話機に対する着信があった場合の無条件転送のシーケンスを説明するための図である。
【図１８】ＩＰ電話機からＩＰ電話機に対する着信があった場合の無応答時の転送のシーケンスを説明するための図である。
【図１９】ＩＰ電話機からＩＰ電話機に対する着信があった場合の複数順転送のシーケンスを説明するための図である。
【図２０】ＩＰ電話機からＩＰ電話機に対する着信があった場合の複数同時転送のシーケンスを説明するための図である。
【符号の説明】
１  ＩＰ電話端末、２，３  電話機、４  ＬＡＮ、５  ＰＣ、６  ＧＷ、７  インターネット、８  公衆交換網、１１，１２  ＴＥＬ  ＩＦ、１３  ＬＡＮ  ＩＦ、１４  ＰＳＴＮ  ＩＦ、１５  ＤＳＬ  ＩＦ、１６  ＤＳＰ、１７  ＣＯＤＥＣ、１８，１９  ＳＬＩＣ、２０  呼検出回路、２２，２３  スイッチＡ、２４，２５  スイッチＢ、２６  記憶部、２７，２８  ＰＨＹ部、２９  制御部。
【図１】
2005045382.tif 000003
【図２】
2005045382.tif 000004
【図３】
2005045382.tif 000005
【図４】
2005045382.tif 000006
【図５】
2005045382.tif 000007
【図６】
2005045382.tif 000008
【図７】
2005045382.tif 000009
【図８】
2005045382.tif 000010
【図９】
2005045382.tif 000011
【図１０】
2005045382.tif 000012
【図１１】
2005045382.tif 000013
【図１２】
2005045382.tif 000014
【図１３】
2005045382.tif 000015
【図１４】
2005045382.tif 000016
【図１５】
2005045382.tif 000017
【図１６】
2005045382.tif 000018
【図１７】
2005045382.tif 000019
【図１８】
2005045382.tif 000020
【図１９】
2005045382.tif 000021
【図２０】
2005045382.tif 000022